(57)【要約】【課題】キノコ栽培瓶と嵌合し得るプレートを使用した培地の充填システムにおいて、前記充填工程の前後の工程を短縮し、効率化を促進すること。【解決手段】コンテナ１０に収容されているキノコ栽培瓶１の瓶口１１に対しプレート２の筒状部２１を上側から嵌合したうえで、前記キノコ栽培瓶１及びプレート２を、コンテナ１０と共に振動台３上に搬入する第１工程、振動台３の上側に位置しているタンク４から振動台３上に載置されているキノコ栽培瓶１に対し、攪拌羽根４１の回転によってタンク４内の培地をキノコ栽培瓶１内に充填する第２工程、コンテナ１０及びキノコ栽培瓶１を振動台３から搬出した後、嵌合状態を解放する第３工程を採用していることによって前記課題を達成することができるキノコ栽培瓶に対する培地充填システム。【選択図】図１
2010088305.tif 000002
【特許請求の範囲】
【請求項１】
コンテナに収容されている単数又は複数のキノコ栽培瓶の瓶口に外側又は内側から嵌合する筒状部を備えているプレートを複数個用意し、当該プレートの筒状部を瓶口に上側から嵌合したうえで、コンテナに収容された前記キノコ栽培瓶及びプレートを、少なくとも上下方向に振動し得る振動台上に搬入する第１工程、振動台の上側に位置し、キノコ栽培用培地（以下、「培地」と略称する。）を貯留し、かつ当該培地を落下させるための攪拌装置を備えているタンクから振動台上に載置され、かつ振動台の振動によって振動しているキノコ栽培瓶に対し、当該攪拌羽根の回転によってタンク内の培地を落下させ、かつキノコ栽培瓶内に充填する第２工程、コンテナに収容されているキノコ栽培瓶を前記振動台から搬出した後、プレートの筒状部と瓶口の嵌合状態を解放する第３工程を採用していることに基づくキノコ栽培瓶に対する培地充填システム。
【請求項２】
第３工程の後に、コンテナに収容されているキノコ栽培瓶を、振動台から更に離れた位置に移行させる一方、プレートを上側に移行する第４工程を付加していることを特徴とする請求項１記載の培地充填システム。
【請求項３】
第１工程の振動台への搬入と、第３工程の振動台からの搬出とが略同一時期に行われることを特徴とする請求項１、２の何れか一項に記載の培地充填システム。
【請求項４】
第１工程のプレートと瓶との嵌合工程、及び第３工程の当該嵌合状態を解放する工程を、第２工程の培地充填作業と並行して推進することを特徴とする請求項１、２、３の何れか一項に記載の培地充填システム。
【請求項５】
第４工程を終了したプレートが、タンクの上側を移行したうえで、再び第１工程のキノコ栽培瓶との嵌合に提供されることを特徴とする請求項２、３、４の何れか一項に記載の培地充填システム。
【請求項６】
第３工程の嵌合状態を解放する前及び／又は後の段階において穿孔用ポールをキノコ栽培瓶内の培地に対し上方から圧入し、キノコ菌の播種及び育成用の孔を設ける工程を付加することを特徴とする請求項１、２、３、４、５の何れか一項に記載の培地充填システム。
【請求項７】
プレートの筒状部をキノコ栽培瓶の瓶口に対し、密着した状態にて嵌合させてうえで、第２工程のキノコ栽培瓶及びプレートの振動に際し、プレートに対し、所定の弾性力を伴ってプレートに接触し、かつ当該プレートと共に振動し得る支持具による支持によって前記密着状態を維持することを特徴とする請求項１、２、３、４、５、６の何れか一項に記載の培地充填システム。
【発明の詳細な説明】
【技術分野】
【０００１】
本発明は、キノコ栽培瓶に対し、キノコを育成する養分を含有しているキノコ培地（以下、「培地」と略称する。）を充填するシステムに関するものである。
【背景技術】
【０００２】
培地は、木材粉砕物を主成分とし、育成条件如何によっては、稲藁などの穀物育成茎などを加味したうえで、キノコ育成に必要な栄養分及び水を混合させており、本来流動性及び移動性に極めて乏しい状態にある。
【０００３】
このため、キノコ栽培瓶に培地を充填するためには、通常、上側のタンク（容器）に培地を貯留した状態としたうえで、攪拌することによって強制的に落下させ、キノコ栽培瓶中に移動させ、かつ充填している。
【０００４】
培地の充填に際しては、キノコ栽培瓶に対しては、下側の振動台によって強制的に振動させることによって、培地を所定の密度を以って略均一な充填を実現している。
【０００５】
しかして、攪拌状態による培地をキノコ栽培瓶中に充填するためには、キノコ栽培瓶の瓶口よりも広い面積を有しているプレートに当該瓶口の内側又は外側において嵌合する筒状部を設け、前記プレート上から前記攪拌によって移動状態にある培地を瓶中に充填することによって、無駄のない培地の充填を実現することができる。
【０００６】
このように、一方では培地を攪拌状態とし、他方では、瓶を下側の振動台によって振動状態としたうえで、プレートを介して培地をキノコ栽培瓶に充填することによって、無駄のない略均一な充填が可能であるにも拘らず、従来の公知技術においては、前記プレートを使用したことによる培地充填システムを開示又は示唆している訳ではない。
【０００７】
因みに、特許文献１は、ヤナギマツタケの栽培方法に関して、キノコ栽培ビンを下側の振動台によって振動させる構成を開示するも、前記攪拌状態にある培地をキノコ栽培ビン中に充填する工程においては、何ら開示及び示唆しておらず、ましてや、前記プレートを採用した構成について全く開示及び示唆していない。
【０００８】
更には、特許文献２は、キノコ類の栽培装置及びこの装置を用いた栽培方法全般を開示するも、既に培地がキノコ栽培瓶中に充填されていることを前提とした技術内容を開示しているのみであって、キノコ栽培瓶中に、プレートを介して攪拌状態にある培地を充填することについては、全く開示及び示唆していない。
【０００９】
出願人が、これまで経験した前記プレートを使用したうえで、攪拌状態にある培地を下方の振動台によって振動した状態にあるキノコ栽培瓶中に充填するシステムとしては、
培地を貯留するタンクについて、上側の固定部分と、攪拌装置を設置している下側の水平方向移動部分、即ち引き出しのように移動し得る部分との２体構成としたうえで、
（ａ）キノコ栽培瓶を振動台上に搬入する工程、
（ｂ）水平方向移動部分を、下側の振動台と離れた位置に設定したうえで、プレートを上側からキノコ栽培瓶に対し、前記筒状部と前記瓶口を介して嵌合する工程、
（ｃ）水平方向移動部分を、プレートの上側に移動させたうえで、培地に対する攪拌及び下側の振動台の振動に基づくプレートを介した培地のキノコ栽培瓶への充填する工程、
（ｄ）水平移動部分を再び元の振動台から離れた位置に戻す工程、
（ｅ）プレートをキノコ栽培瓶の嵌合状態から外した後、次のキノコ栽培瓶の振動台への搬入に備えて上側に移行すると共に、培地が充填されたキノコ栽培瓶を振動台から搬出する工程、
を採用していた。
【００１０】
しかしながら、前記（ａ）、（ｂ）、（ｃ）、（ｄ）、（ｅ）の工程を順次繰り返すことは、極めて煩雑であると共に、これらの工程は、何れも同時進行が不可能であるため、（ｃ）以外の工程の時間を短縮させることが不可能であり、（ｃ）の充填構成を全工程に要する時間のうちの主たる部分を占めるような効率的な充填作業を実現できないという致命的な欠陥を有していた。
【００１１】
【特許文献１】特開平７−５０９２６号公報
【特許文献２】特開２００７−６８４４０号公報
【発明の開示】
【発明が解決しようとする課題】
【００１２】
本発明は、筒状部を介してキノコ栽培瓶の瓶口と嵌合し得るプレートを使用した培地の当該瓶への充填システムにおいて、前記充填工程の前後の工程を可能な限り、短縮することによって、効率的な培地の充填システムの構成を提供することを課題としている。
【課題を解決するための手段】
【００１３】
前記課題を解決するため、本発明の基本構成は、コンテナに収容されている単数又は複数のキノコ栽培瓶の瓶口に外側又は内側から嵌合する筒状部を備えているプレートを複数個用意し、当該プレートの筒状部を瓶口に上側から嵌合したうえで、コンテナに収容された前記キノコ栽培瓶及びプレートを、少なくとも上下方向に振動し得る振動台上に搬入する第１工程、振動台の上側に位置し、培地を貯留し、かつ当該培地を落下させるための攪拌装置を備えているタンクから振動台上に載置され、かつ振動台の振動によって振動しているキノコ栽培瓶に対し、当該攪拌羽根の回転によってタンク内の培地を落下させ、かつキノコ栽培瓶内に充填する第２工程、コンテナに収容されているキノコ栽培瓶を前記振動台から搬出した後、プレートの筒状部と瓶口の嵌合状態を解放する第３工程を採用していることに基づくキノコ栽培瓶に対する培地充填システムからなる。
【発明の効果】
【００１４】
前記基本構成に立脚している本発明においては、複数個のプレートを採用することによって、前記第１工程の終了に伴う振動台への搬入工程と、前記第３工程の開始に伴う振動台からの搬出工程を略同時期に実現すると共に、第１工程のプレートと瓶との嵌合工程、及び第３工程の当該嵌合状態を解放する工程を、第２工程の培地充填作業と並行して推進できる以上、前記従来技術に比し、極めて効率的な培地の充填が可能となり、前記課題を達成することができる。
【発明を実施するための最良の形態】
【００１５】
実施形態に即して、前記第１、２、３、４の各工程について、以下のとおり説明する。
【００１６】
図１は、前記基本構成を説明する模式形式による側面図を示しており、図２は、当該模式形式を具体化した側面図を示している。
【００１７】
図１及び図２の（１）に示す第１工程は、プレート２が下方に移行し、かつコンテナ１０に収容された状態にて順次移行してきたキノコ栽培瓶１に対し、筒状部２１を介して瓶の口に対し嵌合が行われている。
【００１８】
図１及び図２の（１）においては、筒状部２１が瓶の外側から嵌合しているが、当該嵌合は、内側からの嵌合も当然可能である。
【００１９】
通常、作業効率を考慮し、プレート２には単数又は複数（大抵の場合、５個〜１５個程度の場合が多い）の筒状部２１が設置されており、キノコ栽培瓶１の瓶口１１との嵌合が行われている。
【００２０】
前記嵌合は、プレート２に対し機械的な力を加えることによって実現され、その方法は特に限定される訳ではないが、実施形態においては、図４に示すように、プレート２に対する把持部６１を有している移動台６を鉛直方向ポール７１に沿って移動し得る上下動駆動部７２によって下方への機械的な力を加える方式を採用している。
そして、上下動駆動部７２の駆動源に関する方式は特に限定される訳ではなく、例えばボールネジによる駆動方式、又はリニアモーターによる駆動方式などを採用し得るが、実施形態においては、所謂ロッドレスシリンダー方式、即ち鉛直方向ポール７１内のパイプに、エアーの圧力によってパイプ内の磁石を移動させ、上下動駆動部７２について、磁性を有するような素材を選択することによって、前記磁石の磁力によって移動させる方式を採用している（尚、ロッドレスシリンダーの名称は、シリンダーの延長部分が作動するような棒状となっていないことに基づいている。）。
【００２１】
前記嵌合が終了した後、嵌合状態となったプレート２と、キノコ栽培瓶１とは、一体となって第２工程においてキノコ栽培瓶１に振動を加える振動桿の上に搬入される。
【００２２】
振動台３には、コンテナ１０を自らの上に移行させる機能を有していないことから、当該振動台３への搬入を行うためには、コンテナ１０をエアーシリンダー（図示せず）などによって強制的に移行させ、前記搬入を行うことになる。
【００２３】
第２工程においては、図１及び図２の（２）において示すように、振動用モーター３０によって回転する偏心軸３１の回転を振動伝達バーの上下動に変換したうえで、振動台３の振動を実現している。
【００２４】
振動台３は、弾性バネ３３によって支持されており、当該振動に一定のクッション性が付与されている。
【００２５】
殆ど大抵の場合、振動伝達バーと偏心軸３１との間には、上下動を行いながら回転するボールベアリング（図示せず）が介在している。
尚、図１、図２においては、振動台３に対し、上下振動のみが行われる方式を示しているが、上下振動以外に、当該上下方向と直交する方向（実際には水平方向）の振動をも加味した所謂揺動方式もまた、前記基本構成における振動として採用することができる。
【００２６】
第２工程においては、図３に示すように、タンク４内に設置されている攪拌羽根４１を攪拌モーター４０の駆動に基づいて培地を攪拌し、かつ強制的に下方に移行させ、キノコ栽培瓶１に培地を充填している。
【００２７】
図２、図３に示すように、筒状部２１が瓶口１１の外側から嵌合している場合には、筒状部２１と瓶口１１とを密着した状態とすることによって、培地が当該瓶の外側に漏洩することを防止することを必要としている。
【００２８】
瓶口１１に対して外側から嵌合しているプレート２の筒状部２１が、キノコ栽培瓶１と共に上下振動を行っている状態を放置した場合には、筒状部２１と瓶口１１との間に摺動が生じ、最悪の場合には、プレート２とキノコ栽培瓶１との嵌合状態が外れる危険性が存在する。
【００２９】
このような危険を避けるため、図２、図３に示す実施形態においては、筒状部２１を瓶口１１に対し、密着した状態にて嵌合させてうえで、第２工程のキノコ栽培瓶１及びプレート２の振動に際し、プレート２に対し、所定の弾性力を伴ってプレート２に接触し、かつ当該プレート２と共に振動し得る支持具３４による支持によって前記密着状態を維持することを特徴とする構成を採用し、筒状部２１と瓶口１１との摺動を制約することによって、前記嵌合状態が外れる危険性を防止している。
【００３０】
筒状部２１が瓶口１１に対し、内側から嵌合する場合には、培地が外側に漏洩する危険は生じない。
【００３１】
但し、筒状部２１と瓶口１１とが密着していない場合には、キノコ栽培瓶１の振動によって、プレート２と瓶プレート２と相互に衝突し合い、騒音を発生することから、内側から嵌合する場合においても、双方を密着した状態とする場合が多い。
【００３２】
筒状部２１が瓶口１１の内側から密着させた状態にて嵌合する場合には、外側からの嵌合の場合と同じように前記の弾性力を伴ってプレート２に接触する支持具３４による支持を行うことが好ましい。
【００３３】
タンク４において培地を常時貯留させるためには、図２（２）に示すように、コンベア装置９２（但し、図２（２）では、コンベアの搬送方法ではなく、当該方向と直交する方向を図示している。）などの培地搬送装置をタンク４の上側に設け、搬送された培地をタンク４内に上側から投入かつ落下させると良い。
【００３４】
第２工程において、培地がキノコ栽培瓶１への充填が終了した段階では、図１及び図２に示すように、プレート２及びキノコ栽培瓶１を、振動台３から搬出することによる第３工程に移行し、プレート２とキノコ栽培瓶１との嵌合状態からの解放が行われることになる（尚、前記解放を行うことについては、図１の（３）の上側を向いている白線の矢印によって示す。）。
【００３５】
前記嵌合の解放は、プレート２に対し機械的な力を上方に加えることによって実現され、特に構成は限定される訳ではなく、ボールネジによる駆動方式又はリニアモーターによる駆動方式などを採用し得ることは、第１工程の場合と同様である。
そして、第３工程の実施形態においても、図４に示すように、移動台６に対し鉛直方向パイプを移動する上下動駆動部７２が上方に移動することに伴う機械的な力を加えることによって、前記解放を実現しており、第１工程の場合と同様に、ロッドレスシリンダー方式によって上下動駆動部７２を移動させている。
【００３６】
尚、第３工程に突入する場合の振動台３からのキノコ栽培瓶１の搬出は、第１工程を終了するに際し、コンテナ１０を振動台３に搬入する場合と同様に、エアーシリンダー方式（図示せず）などによってキノコ栽培瓶１を収容しているコンテナ１０を強制的に移動させることになる。
【００３７】
第３工程において、嵌合状態の解放が終了した段階にて、前記基本構成は完結している。
【００３８】
但し、通常、図１、図２の（４）に示すように、プレート２の上方への移行、及びキノコ栽培瓶１の更なる移行を伴う第４工程が付加され、プレート２の第１工程における嵌合への準備、更にはキノコ栽培瓶１の他の工程への準備が行われる場合が多い。
尚、第３工程及び第４工程の場合には、通常、図２に示すように、ローラーコンベア９１によって、順次コンテナ１０に収容されたキノコ栽培瓶１を移動することが可能となる。
【００３９】
前記基本構成においては、第１工程、第２工程、第３工程がそれぞれ異なる部位において進行しているため、発明の効果の項において説明したように、前記搬入工程と前記搬出工程との概略同時実現、更には、培地充填作業と他の第１工程及び第２工程の作業の概略同時期の実現を可能としている。
【００４０】
このような同時実現によって、本発明においては、前記（ａ）、（ｂ）、（ｃ）、（ｄ）、（ｅ）の各工程を各時間の順序に従って経ねばならない従来技術の工程に比し、極めて効率的な培地の充填を行うことが可能となる。
【００４１】
キノコ栽培瓶１においては、通常、キノコ菌を投入し、かつ繁殖させるために、図５に示すような窪んだ孔５を設けている。
【００４２】
このような孔５を形成するために、図２に示すように、第３工程の嵌合状態を解放する前及び後の段階において上下動モーター８１０、８２０によって駆動される穿孔用ポール８１、８２をキノコ栽培瓶１内の培地に対し上方から圧入し、キノコ菌の播種及び育成用の孔５を設ける工程を付加することを特徴とする実施形態を採用した場合には、キノコ菌の充填及び育成準備をも終了することができ、極めて便利である。
【００４３】
前記穿孔５は、前記嵌合の解放の前段階及び後段階の何れか一方であっても実現可能であるが、図２に示すように、双方の段階にて行った方が深くかつ大きな穿孔５を行うことが可能となる。
【００４４】
以下、実施例に即して説明する。
【実施例】
【００４５】
実施例は、図１、図２に示すように、前記第４工程を付加し、当該第４工程を終了したプレート２が上方に移行し、かつタンク４の上側を移行したうえで、再び第１工程のキノコ栽培瓶１との嵌合に提供されることを特徴としている。
【００４６】
このような実施例１においては、第４工程を終了したプレート２を再び第１工程のキノコ栽培瓶１との嵌合に使用することが可能となり、結局、第１、第２、第３、第４工程を限定された複数個のプレート２にて継続して推進することが可能となる。
【００４７】
図１、図２からも明らかなように、前記流れ作業を実現するためには、プレート２は、第１、第２、第３、第４の各工程を実現している各段階及び第４工程を終了した後、第１工程に備える段階にそれぞれ対応して、最低５個のプレート２を必要とするが、図１、図２に示すように、合計７個のプレート２を備えている場合には、余裕のある制御状態の下に、前記のような継続推進を実現できる。
【産業上の利用可能性】
【００４８】
本発明は、プレートを採用したキノコ栽培瓶に対する培地の充填の分野において広範に採用することが可能である。
【図面の簡単な説明】
【００４９】
【図１】前記基本構成の工程を模式的に説明する側面図である。
【図２】前記基本構成の各工程を具体的に説明する側面図である。
【図３】タンクに攪拌羽根装置を備え、その外側にエアーシリンダーを備えた状態を示す側断面図である。
【図４】把持部を有している移動台を鉛直方向ポールに沿って移動する上下動駆動部によって、機械的力を加えることに基づいて、プレートのキノコ栽培瓶に対する嵌合及び当該嵌合の解放を実現している実施形態に関する側面図である（尚、側面の方向は、図１及び図２と直交する方向である。）。
【図５】キノコ栽培瓶内の培地に、キノコ菌を投入し、かつ育成させるための孔を設けた状態を示す断面図である。
【符号の説明】
【００５０】
１  キノコ栽培瓶
１０  コンテナ
１１  瓶口
２  プレート
２１  筒状部
３  振動台
３０  振動用モーター
３１  偏心軸
３２  上下動バー
３３  弾性バネ
３４  支持具
４  タンク
４０  攪拌モーター
４１  攪拌羽根
５  孔
６  移動台
６１  把持部
７１  鉛直方向ポール
７２  上下動駆動部
８１、８２  穿孔用ポール
８１０、８２０  上下動モーター
９１  ローラーコンベア
９２  コンベア装置
【図１】
2010088305.tif 000003
【図２】
2010088305.tif 000004
【図３】
2010088305.tif 000005
【図４】
2010088305.tif 000006
【図５】
2010088305.tif 000007